(57)【要約】【課題】記憶手段に記憶されるデータ量を削減することができる。【解決手段】動画像１２２の表示中に動画像１２２（放射線画像１２２Ａ）に対して読影者が関心領域を指示する。関心領域受付部１０４で関心領域を受け付けると、受け付けた関心領域の関心領域画像１４０及び、当該関心領域画像１４０が含まれる放射線画像を動画像１２２として連続表示されていた複数の放射線画像のうちから抽出する。さらに、関心領域画像１４０の画像のみ、または関心領域画像１４０が含まれる放射線画像のみを関心領域画像ファイルとして記憶部１７に記憶させるよう制御する。この後、関心領域画像１４０を表示させるよう制御する場合は、関心領域画像ファイルに基づいて関心領域画像１４０をディスプレイ５０またはディスプレイ２３に表示させるよう制御する。【選択図】図３
2013075065.tif 000002
【特許請求の範囲】
【請求項１】
動画撮影によって得られた複数枚の放射線画像を連続して表示させることにより動画像として前記表示手段に表示するように制御する表示制御手段と、
前記表示手段に前記動画像を表示している際に、前記複数枚の放射線画像のうち前記表示手段に表示されている放射線画像中の関心領域を示す関心領域情報を受け付ける関心領域受付手段と、
前記複数枚の放射線画像のうち、前記関心領域受付手段によって受け付けられた前記関心領域情報により示される関心領域画像が含まれる放射線画像を抽出し、抽出した放射線画像のみを記憶手段に記憶するよう制御する記憶制御手段と、
を備えた放射線画像処理装置。
【請求項２】
前記表示制御手段は、静止画撮影によって得られた１枚の放射線画像を静止画像として表示手段に表示するよう制御し、前記表示制御手段が静止画像を表示するよう制御した場合は、前記記憶制御手段は、当該静止画像の全領域を前記記憶手段に記憶するよう制御する、請求項１に記載の放射線画像処理装置。
【請求項３】
前記表示手段が動画像を表示するよう制御した場合に前記記憶手段に記憶させた関心領域画像が含まれる放射線画像の領域よりも大きな領域を所定の領域とし、前記記憶制御手段は、前記表示制御手段が静止画像を表示するよう制御した場合は、静止画像の所定の領域を前記記憶手段に記憶するよう制御する、請求項１または請求項２に記載の放射線画像処理装置。
【請求項４】
前記記憶制御手段は、抽出した放射線画像からさらに、関心領域画像を抽出し、関心領域画像のみを前記記憶手段に記憶するよう制御する、請求項１から請求項３に記載の放射線画像処理装置。
【請求項５】
前記表示制御手段は、前記記憶手段に記憶されている放射線画像から関心領域画像を抽出し、抽出した関心領域画像を表示手段に表示するよう制御する、請求項１から請求項３に記載の放射線画像処理装置。
【請求項６】
前記記憶制御手段は、前記複数枚の放射線画像のうち、前記関心領域画像が含まれない放射線画像を当該放射線画像の画像データ量を予め定められた処理により小さくした後、前記記憶手段に記憶するよう制御する、請求項１から請求項５のいずれか１項に記載の放射線画像処理装置。
【請求項７】
読影者が入力した前記関心領域に関係する情報を受け付ける情報受付手段を備え、
前記記憶制御手段は、前記情報受付手段で受け付けた情報を前記関心領域画像に対応付けて前記記憶手段に記憶するよう制御する、請求項１から請求項６のいずれか１項に記載の放射線画像処理装置。
【請求項８】
前記記憶制御手段は、前記関心領域画像関係情報を前記関心領域受付手段に受け付させた読影者に関する情報を前記関心領域画像に対応付けて前記記憶手段に記憶するよう制御する、請求項１から請求項７のいずれか１項に記載の放射線画像処理装置。
【請求項９】
放射線画像を表示する表示手段と、
記憶手段と、
動画撮影によって得られた複数枚の放射線画像を連続して表示させることにより動画像を前記表示手段に表示するよう制御し、かつ前記記憶手段への放射線画像の記憶を制御する、前記請求項１から前記請求項８のいずれか１項に記載の放射線画像処理装置と、
を備えた放射線画像読影システム。
【請求項１０】
照射された放射線の線量に応じた放射線を検出し、検出した放射線に基づいて放射線画像を出力する放射線検出器と、
前記放射線検出器を用いた動画撮影によって得られた動画像を読影する前記請求項９に記載の放射線動画像読影システムと、
を備えた放射線画像撮影システム。
【請求項１１】
動画撮影によって得られた複数枚の放射線画像を連続して表示させることにより動画像として前記表示手段に表示するように制御する表示制御工程と、
前記表示手段に前記動画像を表示している際に、前記複数枚の放射線画像のうち前記表示手段に表示されている放射線画像中の関心領域を示す関心領域情報を受け付ける関心領域受付工程と、
前記複数枚の放射線画像のうち、前記関心領域受付手段によって受け付けられた前記関心領域情報により示される関心領域画像が含まれる放射線画像を抽出し、抽出した放射線画像のみを記憶手段に記憶するよう制御する記憶制御工程と、
を備えた放射線画像処理方法。
【請求項１２】
動画撮影によって得られた複数枚の放射線画像を連続して表示させることにより動画像として前記表示手段に表示するように制御する表示制御手段と、前記表示手段に前記動画像を表示している際に、前記複数枚の放射線画像のうち前記表示手段に表示されている放射線画像中の関心領域を示す関心領域情報を受け付ける関心領域受付手段と、前記複数枚の放射線画像のうち、前記関心領域受付手段によって受け付けられた前記関心領域情報により示される関心領域画像が含まれる放射線画像を抽出し、抽出した放射線画像のみを記憶手段に記憶するよう制御する記憶制御手段と、を備えた放射線画像処理装置の前記表示制御手段、及び前記記憶制御手段としてコンピュータを機能させるための放射線画像処理プログラム。
【発明の詳細な説明】
【技術分野】
【０００１】
本発明は、放放射線画像処理装置、放射線画像読影システム、放射線画撮影システム、放射線画像処理方法、及び放射線画像処理プログラムに係り、特に、動画像とした放射線画像に対して画像処理を行う放射線画像処理装置、放射線画像読影システム、放射線画撮影システム、放射線画像処理方法、及び放射線画像処理プログラムに関する。
【背景技術】
【０００２】
放射線画像の撮影を行うための放射線画像撮影装置として、放射線照射装置から照射され、被写体を透過した放射線を放射線検出器により検出する放射線画像撮影装置が知られている。また、当該放射線画像装置により、静止画像である放射線画像の撮影に加えて、例えば、複数の放射線画像（静止画像）を連続して撮影する動画像の撮影が行われている。
【０００３】
一般に、病院等の医療施設においては、このようにして撮影された静止画像や動画像に基づいて、静止画像や動画像を読影した医師等により、診断が行われている。このように医師等が静止画像や動画像を読影することにより診断を行うにあたり、診断の対象となる腫瘤や石灰化等の病変や、ステント等の関心領域を抽出したり、記憶させたりする技術が知られている。
【０００４】
例えば、特許文献１には、関心領域を示す処理画像をイメージメモリに蓄積しておき、所望の関心領域の選択に応じて、選択された関心領域の画像を表示する技術が記載されている。また、特許文献２には、放射線画像撮影システムにおいて、生成された間引き画像データに基づいて関心領域を特定し、特定した関心領域の位置情報を可搬型放射線画像検出器に通知すると共に、可搬型放射線画像検出器では、画像データから関心領域の画像デーを抽出する技術が記載されている。
【先行技術文献】
【特許文献】
【０００５】
【特許文献１】特開平０４−３８５７１号公報
【特許文献２】特開２０１０−２５９６８８号公報
【発明の概要】
【発明が解決しようとする課題】
【０００６】
一般に、動画像は、静止画像である複数枚の放射線画像を含んでおり、当該複数枚の放射線画像を連続して表示させることにより動画像として表示される。そのため、動画像の画像データは、静止画像の画像データに比べて大きく、保存容量が多くなる。上記従来の技術のように抽出された関心領域が含まれる画像が動画像である場合、画像データが大きくなり、保存容量が多くなるという問題がある。
【０００７】
本発明は上記問題点を解決するために成されたものであり、記憶手段に記憶されるデータ量を削減することができる、放射線画像処理装置、放射線画像読影システム、放射線画撮影システム、放射線画像処理方法、及び放射線画像処理プログラムを提供することを目的とする。
【課題を解決するための手段】
【０００８】
上記目的を達成するために、請求項１記載の発明の放射線画像処理装置は  動画撮影によって得られた複数枚の放射線画像を連続して表示させることにより動画像として前記表示手段に表示するように制御する表示制御手段と、前記表示手段に前記動画像を表示している際に、前記複数枚の放射線画像のうち前記表示手段に表示されている放射線画像中の関心領域を示す関心領域情報を受け付ける関心領域受付手段と、前記複数枚の放射線画像のうち、前記関心領域受付手段によって受け付けられた前記関心領域情報により示される関心領域画像が含まれる放射線画像を抽出し、抽出した放射線画像のみを記憶手段に記憶するよう制御する記憶制御手段と、を備える。
【０００９】
請求項１に記載の放射線動画像処理装置によれば、表示制御手段の制御により、動画撮影によって得られた複数枚の放射線画像を連続して表示させることにより動画像として前記表示手段に表示させる。関心領域受付手段は、表示手段に動画像を表示している際に、複数枚の放射線画像のうち表示手段に表示されている放射線画像中の関心領域を示す関心領域情報を受け付ける。記憶制御手段は、複数枚の放射線画像のうち、関心領域受付手段によって受け付けられた関心領域情報により示される関心領域画像が含まれる放射線画像を抽出し、抽出した放射線画像のみを記憶手段に記憶するよう制御する。
【００１０】
このように本発明では、記憶制御手段が。関心領域受付手段によって受け付けられた関心領域情報により示される関心領域画像が含まれる放射線画像を抽出し、抽出した放射線画像のみを記憶させるため、関心領域画像が含まれる放射線画像以外の画像を記憶手段に記憶させないようにすることができる。これにより、複数枚の放射線画像により成る動画像を記憶手段に記憶させる場合であっても、記憶手段に記憶されるデータ量を削減することができる。
【００１１】
また、本発明は請求項２に記載の発明のように、前記表示制御手段は、静止画撮影によって得られた１枚の放射線画像を静止画像として表示手段に表示するよう制御し、前記表示制御手段が静止画像を表示するよう制御した場合は、前記記憶制御手段は、当該静止画像の全領域を前記記憶手段に記憶するよう制御することが好ましい。
【００１２】
また、本発明は、請求項３に記載の発明のように、前記表示手段が動画像を表示するよう制御した場合に前記記憶手段に記憶させた関心領域画像が含まれる放射線画像の領域よりも大きな領域を所定の領域とし、前記記憶制御手段は、前記表示制御手段が静止画像を表示するよう制御した場合は、静止画像の所定の領域を前記記憶手段に記憶するよう制御することが好ましい。
【００１３】
また、本発明は請求項４に記載の発明のように、前記記憶制御手段は、抽出した放射線画像からさらに、関心領域画像を抽出し、関心領域画像のみを前記記憶手段に記憶するよう制御することが好ましい。
【００１４】
また、本発明は請求項５に記載の発明のように、前記表示制御手段は、前記記憶手段に記憶されている放射線画像から関心領域画像を抽出し、抽出した関心領域画像を表示手段に表示するよう制御することが好ましい。
【００１５】
また、本発明は請求項６に記載の発明のように、前記記憶制御手段は、前記複数枚の放射線画像のうち、前記関心領域画像が含まれない放射線画像を当該放射線画像の画像データ量を予め定められた処理により小さくした後、前記記憶手段に記憶するよう制御することが好ましい。
【００１６】
また、本発明は請求項７に記載の発明のように、読影者が入力した前記関心領域に関係する情報を受け付ける情報受付手段を備え、前記記憶制御手段は、前記情報受付手段で受け付けた情報を前記関心領域画像に対応付けて前記記憶手段に記憶するよう制御することが好ましい。
【００１７】
また、本発明は請求項８に記載の発明のように、前記記憶制御手段は、前記関心領域画像関係情報を前記関心領域受付手段に受け付させた読影者に関する情報を前記関心領域画像に対応付けて前記記憶手段に記憶するよう制御することが好ましい。
【００１８】
また、請求項９に記載の放射線画像読影システムは、放射線画像を表示する表示手段と、記憶手段と、動画撮影によって得られた複数枚の放射線画像を連続して表示させることにより動画像を前記表示手段に表示するよう制御し、かつ前記記憶手段への放射線画像の記憶を制御する、前記請求項１から前記請求項８のいずれか１項に記載の放射線画像処理装置と、を備える。
【００１９】
また、請求項１０に記載の放射線画像撮影システムは、照射された放射線の線量に応じた放射線を検出し、検出した放射線に基づいて放射線画像を出力する放射線検出器と、前記放射線検出器を用いた動画撮影によって得られた動画像を読影する前記請求項９に記載の放射線動画像読影システムと、を備える。
【００２０】
また、請求項１１に記載の放射線画像処理方法は、動画撮影によって得られた複数枚の放射線画像を連続して表示させることにより動画像として前記表示手段に表示するように制御する表示制御工程と、前記表示手段に前記動画像を表示している際に、前記複数枚の放射線画像のうち前記表示手段に表示されている放射線画像中の関心領域を示す関心領域情報を受け付ける関心領域受付工程と、前記複数枚の放射線画像のうち、前記関心領域受付手段によって受け付けられた前記関心領域情報により示される関心領域画像が含まれる放射線画像を抽出し、抽出した放射線画像のみを記憶手段に記憶するよう制御する記憶制御工程と、を備える。
【００２１】
また、請求項１２に記載の放射線画像処理プログラムは、動画撮影によって得られた複数枚の放射線画像を連続して表示させることにより動画像として前記表示手段に表示するように制御する表示制御手段と、前記表示手段に前記動画像を表示している際に、前記複数枚の放射線画像のうち前記表示手段に表示されている放射線画像中の関心領域を示す関心領域情報を受け付ける関心領域受付手段と、前記複数枚の放射線画像のうち、前記関心領域受付手段によって受け付けられた前記関心領域情報により示される関心領域画像が含まれる放射線画像を抽出し、抽出した放射線画像のみを記憶手段に記憶するよう制御する記憶制御手段と、を備えた放射線画像処理装置の前記表示制御手段、及び前記記憶制御手段としてコンピュータを機能させるためのものである。
【発明の効果】
【００２２】
このように、本発明によれば、記憶手段に記憶されるデータ量を削減することができる、という効果を有する。
【図面の簡単な説明】
【００２３】
【図１】本実施の形態に係る放射線画像撮影システムの一例の全体構成の概略の概略構成図である。
【図２】本実施の形態に係る放射線検出器の構成の一例を概略的に示す断面模式図である。
【図３】本実施の形態に係る放射線画像処理機能を説明するための機能ブロック図である。
【図４】本実施の形態に係る放射線画像処理の一例のフローチャートである。
【図５】本実施の形態に係る展開された動画像ファイルの一例を示す説明図である。
【図６】本実施の形態に係る動画像の表示の一例を示す説明図である。
【図７】本実施の形態に係る進度表チャート作成・表示処理の一例を示すフローチャートである。
【図８】本実施の形態に係る展開された動画像ファイルの一例を示す説明図である。
【図９】本実施の形態に係る放射線画像処理の一例のフローチャートである。
【図１０】本実施の形態に係る関心領域画像の表示の一例を示す説明図である。
【図１１】本実施の形態に係る関心領域画像の表示の一例を示す説明図である。
【発明を実施するための形態】
【００２４】
以下、各図面を参照して本実施の形態の一例について説明する。
【００２５】
まず、本実施の形態の放射線画像処理装置を備えた放射線画像撮影システムの概略構成について説明する。図１には、本実施の形態の放射線画像撮影システムの一例の全体構成の概略の概略構成図を示す。本実施の形態の放射線画像撮影システム１０は、静止画像としての放射線画像に加え、動画像を撮影することが可能である。なお、本実施の形態において動画像とは、静止画像を高速に次々と表示して、動画像として認知させることをいい、静止画像を撮影し、電気信号に変換し、伝送して当該電気信号から静止画像を再生する、というプロセスを高速に繰り返すものである。従って、前記「高速」の度合いによって、予め定められた時間内に同一領域（一部又は全部）を複数回撮影し、かつ連続的に再生する、いわゆる「コマ送り」も動画像に包含されるものとする。
【００２６】
本実施の形態の放射線画像撮影システム１０は、コンソール１６を介して外部のシステム（例えば、ＲＩＳ：Ｒａｄｉｏｌｏｇｙ  Ｉｎｆｏｒｍａｔｉｏｎ  Ｓｙｓｔｅｍ：放射線情報システム）からコンソール１６を介して入力された指示（撮影メニュー）に基づいて、医師や放射線技師等の操作により放射線画像の撮影を行う機能を有するものである。
【００２７】
また、本実施の形態の放射線画像撮影システム１０は、撮影された放射線画像の静止画像及び動画像をコンソール１６のディスプレイ８０や放射線画像読影装置１８に表示させることにより、医師や放射線技師等に放射線画像を読影させる機能を有するものである。
【００２８】
本実施の形態の放射線画像撮影システム１０は、放射線発生装置１２、放射線画像処理装置１４、コンソール１６、記憶部１７、放射線画像読影装置１８、及び電子カセッテ２０を備えている。
【００２９】
放射線発生装置１２は、放射線照射制御ユニット２２を備えている。放射線照射制御ユニット２２は、放射線画像処理装置１４の放射線制御部６２の制御に基づいて放射線照射源２２Ａから放射線Ｘを撮影台３２上の被験者３０の撮影対象部位に照射させる機能を有している。
【００３０】
被験者３０を透過した放射線Ｘは、撮影台３２内部の保持部３４に保持された電子カセッテ２０に照射される。電子カセッテ２０は、被験者３０を透過した放射線Ｘの線量に応じた電荷を発生し、発生した電荷量に基づいて放射線画像を示す画像データを生成して出力する機能を有するものである。本実施の形態の電子カセッテ２０は、放射線検出器２６を備えて構成されている。本実施の形態の放射線検出器２６の構成の一例を概略的に示す断面模式図を図２に示す。
【００３１】
図２に示すように、放射線検出器２６は、絶縁性の基板７０上に、信号出力部７２、センサ部７４（ＴＦＴ基板９４）、及びシンチレータ７６が順次積層しており、信号出力部７２、センサ部７４によりＴＦＴ基板９４の画素群が構成されている。すなわち、複数の画素は、基板７０上にマトリクス状に配列されており、各画素における信号出力部７２とセンサ部７４とが重なりを有するように構成されている。なお、信号出力部７２とセンサ部７４との間には、絶縁膜７３が介在されている。
【００３２】
シンチレータ７６は、センサ部７４上に透明絶縁膜７８を介して形成されており、上方（基板７０の反対側）または下方から入射してくる放射線を光に変換して発光する蛍光体を成膜したものである。このようなシンチレータ７６を設けることで、被写体を透過した放射線を吸収して発光することになる。
【００３３】
シンチレータ７６が発する光の波長域は、可視光域（波長３６０ｎｍ〜８３０ｎｍ）であることが好ましく、この放射線検出器２６によってモノクロ撮像を可能とするためには、緑色の波長域を含んでいることがより好ましい。
【００３４】
シンチレータ７６に用いる蛍光体としては、具体的には、放射線としてＸ線を用いて撮像する場合、ヨウ化セシウム（ＣｓＩ）を含むものが好ましく、Ｘ線照射時の発光スペクトルが４２０ｎｍ〜７００ｎｍにあるＣｓＩ（Ｔｌ）（タリウムが添加されたヨウ化セシウム）を用いることが特に好ましい。なお、ＣｓＩ（Ｔｌ）の可視光域における発光ピーク波長は５６５ｎｍである。
【００３５】
センサ部７４は、上部電極８０、下部電極８２、及び当該上下の電極間に配置された光電変換膜８４を有し、光電変換膜８４は、シンチレータ７６が発する光を吸収して電荷が発生する有機光電変換材料により構成されている。
【００３６】
上部電極８０は、シンチレータ７６により生じた光を光電変換膜８４に入射させる必要があるため、少なくともシンチレータ７６の発光波長に対して透明な導電性材料で構成することが好ましく、具体的には、可視光に対する透過率が高く、抵抗値が小さい透明導電性酸化物（ＴＣＯ：Ｔｒａｎｓｐａｒｅｎｔ  Ｃｏｎｄｕｃｔｉｎｇ  Ｏｘｉｄｅ）を用いることが好ましい。なお、上部電極８０としてＡｕなどの金属薄膜を用いることもできるが、透過率を９０％以上得ようとすると抵抗値が増大し易いため、ＴＣＯの方が好ましい。例えば、ＩＴＯ、ＩＺＯ、ＡＺＯ、ＦＴＯ、ＳｎＯ２、ＴｉＯ２、ＺｎＯ２等を好ましく用いることができ、プロセス簡易性、低抵抗性、透明性の観点からはＩＴＯが最も好ましい。なお、上部電極８０は、全画素で共通の一枚構成としてもよく、画素毎に分割してもよい。
【００３７】
光電変換膜８４は、有機光電変換材料を含み、シンチレータ７６から発せられた光を吸収し、吸収した光に応じた電荷を発生する。このように有機光電変換材料を含む光電変換膜８４であれば、可視域にシャープな吸収スペクトルを持ち、シンチレータ７６による発光以外の電磁波が光電変換膜８４に吸収されることがほとんどなく、Ｘ線等の放射線が光電変換膜８４で吸収されることによって発生するノイズを効果的に抑制することができる。
【００３８】
光電変換膜８４を構成する有機光電変換材料は、シンチレータ７６で発光した光を最も効率よく吸収するために、その吸収ピーク波長が、シンチレータ７６の発光ピーク波長と近いほど好ましい。有機光電変換材料の吸収ピーク波長とシンチレータ７６の発光ピーク波長とが一致することが理想的であるが、双方の差が小さければシンチレータ７６から発された光を十分に吸収することが可能である。具体的には、有機光電変換材料の吸収ピーク波長と、シンチレータ７６の放射線に対する発光ピーク波長との差が、１０ｎｍ以内であることが好ましく、５ｎｍ以内であることがより好ましい。
【００３９】
このような条件を満たすことが可能な有機光電変換材料としては、例えばキナクリドン系有機化合物及びフタロシアニン系有機化合物が挙げられる。例えばキナクリドンの可視域における吸収ピーク波長は５６０ｎｍであるため、有機光電変換材料としてキナクリドンを用い、シンチレータ５６の材料としてＣｓＩ（Ｔｌ）を用いれば、上記ピーク波長の差を５ｎｍ以内にすることが可能となり、光電変換膜８４で発生する電荷量をほぼ最大にすることができる。
【００４０】
各画素を構成するセンサ部７４は、少なくとも下部電極８２、光電変換膜８４、及び上部電極８０を含んでいればよいが、暗電流の増加を抑制するため、電子ブロッキング膜８６及び正孔ブロッキング膜８８の少なくともいずれかを設けることが好ましく、両方を設けることがより好ましい。
【００４１】
電子ブロッキング膜８６は、下部電極８２と光電変換膜８４との間に設けることができ、下部電極８２と上部電極８０間にバイアス電圧を印加したときに、下部電極８２から光電変換膜８４に電子が注入されて暗電流が増加してしまうのを抑制することができる。電子ブロッキング膜８６には、電子供与性有機材料を用いることができる。
【００４２】
正孔ブロッキング膜８８は、光電変換膜８４と上部電極８０との間に設けることができ、下部電極８２と上部電極８０間にバイアス電圧を印加したときに、上部電極８０から光電変換膜８４に正孔が注入されて暗電流が増加してしまうのを抑制することができる。正孔ブロッキング膜８８には、電子受容性有機材料を用いることができる。
【００４３】
信号出力部７２は、下部電極８２に対応して、下部電極８２に移動した電荷を蓄積するコンデンサ９０と、コンデンサ９０に蓄積された電荷を電気信号に変換して出力する電界効果型薄膜トランジスタ（Ｔｈｉｎ  Ｆｉｌｍ  Ｔｒａｎｓｉｓｔｏｒ、以下、単にＴＦＴという場合がある。）９２が形成されている。コンデンサ９０及びＴＦＴ９２の形成された領域は、平面視において下部電極８２と重なる部分を有しており、このような構成とすることで、各画素における信号出力部７２とセンサ部７４とが厚さ方向で重なりを有することとなる。なお、放射線検出器２６（画素）の平面積を最小にするために、コンデンサ９０及びＴＦＴ９２の形成された領域が下部電極８２によって完全に覆われていることが望ましい。
【００４４】
なお、放射線検出器２６は上述のものに限らず、例えば、フレキシブル基板を用いたものでもよい。フレキシブル基板としては、近年開発されたフロート法による超薄板ガラスを基材として用いたものを適用することが、放射線の透過率を向上させるうえで好ましい。なお、この際に適用できる超薄板ガラスについては、例えば、「旭硝子株式会社、"フロート法による世界最薄０．１ミリ厚の超薄板ガラスの開発に成功"、[online]、[平成２３年８月２０日検索]、インターネット＜ＵＲＬ：http://www.agc.com/news/2011/0516.pdf＞」に開示されている。
【００４５】
本実施の形態では、電子カセッテ２０により出力された放射線画像を示す画像情報は、コンソール１６に入力される。本実施の形態のコンソール１６は、無線通信（ＬＡＮ：Ｌｏｃａｌ  Ａｒｅａ  Ｎｅｔｗｏｒｋ）等を介して外部システム（ＲＩＳ）等から取得した撮影メニューや各種情報等を用いて、放射線発生装置１２及び電子カセッテ２０の制御を行う機能を有している。また、本実施の形態のコンソール１６は、放射線画像処理装置１４との間で放射線画像の画像データを含む各種情報の送受信を行う機能と共に、電子カセッテ２０との間で、放射線画像の画像データ等の各種情報の送受信を行う機能を有している。
【００４６】
本実施の形態のコンソール１６は、サーバー・コンピュータとして構成されており、ＣＰＵ４０、ＲＯＭ４２、ＲＡＭ４４、ＨＤＤ４６、ディスプレイドライバ４８、ディスプレイ５０、操作入力検出部５２、操作パネル５４、Ｉ／Ｏ部５６、及びＩ／Ｆ部５８を備えて構成されている。
【００４７】
ＣＰＵ４０は、コンソール１６全体の動作を制御する機能を有しており、ＲＯＭ４２には、ＣＰＵ４０で使用される制御プログラムを含む各種プログラム等が予め記憶されている。ＲＡＭ４４は、各種データを一時的に記憶する機能を有しており、ＨＤＤ（ハードディスク・ドライブ）４６は、各種データを記憶して保持する機能を有している。
【００４８】
ディスプレイドライバ４８は、ディスプレイ５０への各種情報の表示を制御する機能を有している。本実施の形態のディスプレイ５０は、撮影メニューや撮影された放射線画像等を表示する機能を有していると共に、タッチパネル（操作パネル５４）として構成されている。操作入力検出部５２は、操作パネル５４に対する操作状態を検出する機能を有している。操作パネル５４は、各種の情報や操作指示を、放射線画像を撮影する撮影者である医師や放射線技師等、及び撮影された放射線画像を読影する読影者である医師や放射線技師等が入力するためのものであり、本実施の形態では、少なくとも、タッチパネルを含んで構成されている。なお、本実施の形態の操作パネル５４は、その他、タッチペン、複数のキー、マウス等を含んで構成されている。
【００４９】
また、Ｉ／Ｏ部５６及びＩ／Ｆ部５８は、無線通信により、放射線画像処理装置１４及び放射線発生装置２４との間で各種情報の送受信を行うと共に、電子カセッテ２０との間で画像データ等の各種情報の送受信を行う機能を有している。
【００５０】
ＣＰＵ４０、ＲＯＭ４２、ＲＡＭ４４、ＨＤＤ４６、ディスプレイドライバ４８、操作入力検出部５２、Ｉ／Ｏ部５８、Ｉ／Ｏ部５６は、システムバスやコントロールバス等のバス５９を介して相互に情報等の授受が可能に接続されている。従って、ＣＰＵ４０は、ＲＯＭ４２、ＲＡＭ４４、ＨＤＤ４６へのアクセスを行うことができると共に、ディスプレイドライバ４８を介したディスプレイ５０への各種情報の表示の制御、及びＩ／Ｆ部５８を介した放射線発生装置１２及び電子カセッテ２０との各種情報の送受信の制御を各々行うことができる。また、ＣＰＵ４０は、操作入力検出部５２を介して操作パネル５４に対する読影者の操作状態を把握することができる。
【００５１】
本実施の形態の放射線画像処理装置１４は、コンソール１６からの指示に基づいて、放射線発生装置１２及び電子カセッテ２０を制御する機能を有すると共に、撮影された放射線画像の画像データの記憶部１７への記憶、及びコンソール１６のディスプレイ５０や放射線画像読影装置１８への表示を制御する機能（詳細後述）を有するものである。
【００５２】
本実施の形態の放射線画像処理装置１４は、システム制御部６０、放射線制御部６２、パネル制御部６４、画像処理制御部６６、及びＩ／Ｆ部６８を備えている。
【００５３】
システム制御部６０は、放射線画像処理装置１４全体を制御する機能を有すると共に、放射線画像撮影システム１０を制御する機能を有している。放射線制御部６２は、コンソール１６の指示に基づいて、放射線発生装置１２の放射線照射制御ユニット２２を制御する機能を有している。パネル制御部６４は、電子カセッテ２０からの情報を、無線または有線により受け付ける機能を有しており、画像処理制御部６６は、放射線画像に対して各種画像処理を施す機能を有している。
【００５４】
システム制御部６０、放射線制御部６２、パネル制御部６４、及び画像処理制御部６６は、システムバスやコントロールバス等のバス６９を介して相互に情報等の授受が可能に接続されている。
【００５５】
本実施の形態の記憶部１７は、撮影された放射線画像や関心領域画像（詳細後述）等及を記憶する機能を有するものであり、例えば、ＨＤＤ等により構成されている。なお本実施の形態において関心領域とは、診断の対象となる腫瘤や石灰化等の病変や、ステント等、医師等の診断を行う読影者の関心対象となる物体が表示されている領域のことをいう。
【００５６】
また、本実施の形態の放射線画像読影装置１８は、撮影された放射線画像を医師等の読影者が読影するための機能を有する装置であり、特に限定されないが、いわゆる、読影ビューワやコンソール等が挙げられる。本実施の形態の放射線画像読影装置１８は、パーソナル・コンピュータとして構成されており、コンソール１６と同様に、ＣＰＵ、ＲＯＭ、ＲＡＭ、ＨＤＤ、ディスプレイドライバ、ディスプレイ２３、操作入力検出部、操作パネル２４、Ｉ／Ｏ部、及びＩ／Ｆ部を備えて構成されている。なお、図１では、記載が煩雑になるのを避けるため、これらの構成のうち、ディスプレイ２３及び操作パネル２４のみを示し、その他の記載を省略している。
【００５７】
次に、本実施の形態の放射線画像撮影システム１０（放射線画像処理装置１４）における、放射線画像処理機能について説明する。本実施の形態では、放射線画像処理として、動画像の表示中に関心領域が指示された場合は、当該関心領域の関心領域画像を抽出し、記憶部１７に記憶させる制御を行う。なお、当該ブロック図は、放射線画像処理機能を機能別に分類したものであり、ハード構成を限定するものではない。
【００５８】
本実施の形態の放射線画像撮影システム１０（放射線画像処理装置１４）は、図３に示すように、表示制御部１００、進度表チャート生成部１０２、関心領域受付部１０４、関心領域情報受付部１０６、関心領域画像ファイル生成部１０８、及び記憶制御部１１０を備えている。なお、図３では、具体的一例として、ディスプレイ５０（操作パネル５４）に動画像１２２を表示させ、当該動画像１２２において読影者が指示した関心領域（関心領域画像１４０）を記憶手段１７に記憶させ、記憶された関心領域画像１４０（関心領域画像を含む放射線画像１２２Ａ）をディスプレイ２３に表示させる場合を示している。
【００５９】
表示制御部１００は、ディスプレイ２３及びディスプレイ５０への画像データ等の表示を制御する機能を有している。本実施の形態では、関心領域画像が未抽出の動画像を表示させる場合は、ディスプレイ５０の表示領域には進度表チャート１２０、動画像１２２、及びその他情報１２６が表示される。
【００６０】
動画像１２２を表示させるように指示を受けると表示制御部１００は、記憶部１７から動画像データファイルを読み出す。この際、動画像１２２が関心領域画像が未抽出の画像である場合は、動画像１２２全体（動画像１２２を構成する複数枚の放射線画像全部）をディスプレイ５０の動画像表示領域に表示させる。また、表示させる動画像１２２に関係する情報（例えば、撮影メニューに関する情報等）を動画像データファイルのヘッダから読み出してディスプレイ５０の所定の領域に表示させる。さらに動画像データファイルのヘッダから読み出した情報に基づいて、進度表チャート生成部１０２により進度表チャート１２０を生成して所定の領域に表示させる。
【００６１】
一方、動画像１２２が関心領域画像の画像、または、関心領域が含まれる放射線画像のみである場合は、これら関心領域画像のみ、または関心領域が含まれる放射線画像のみをディスプレイ２３の動画像表示領域に表示させる。また、関心領域画像に対応付けられた関心領域情報１２４が記憶されている場合は、当該関心領域情報１２４もディスプレイ２３の所定の領域に表示させる。
【００６２】
進度表チャート生成部１０２は、進度表チャート１２０を生成する機能を有している。進度表チャート１２０は、動画像１２２の表示時間（放映時間）を表す進度表と、動画像表示領域に現在表示されている動画像１２２の表示時間全体における現在の位置（以下「進行位置」という）を表す進行位置表示とを含んでいる。なお、本実施の形態では、複数の静止画像とみなせる放射線画像を連続して表示させることにより動画像として表示させているため、本実施の形態で「進行位置」とは、現在表示されている放射線画像が、複数の放射線画像のうちのいずれであるかを示すものである。図３では、具体的一例として穂動画像１２２のうち放射線画像１２２Ａが表示領域に表示されており、放射線画像１２２Ａの進行位置を示す進行位置表示が進度表チャート１２０に表示されている。
【００６３】
一方、記憶制御部１１０は、ディスプレイ５０に表示させた動画像１２２において読影者が指示した関心領域の画像（関心領域画像１４０）を記憶部１７に記憶するよう制御する機能を有している（詳細後述）。関心領域受付部１０４は、操作パネル５４により読影者が指示した関心領域（関心領域画像１４０）を受け付ける機能を有しており、関心領域情報受付部１０６は、指示した関心領域に関する情報（関心領域情報１２４）を読影者から受け付ける機能を有している。関心領域画像ファイル生成部１０８は、関心領域受付部１０４で受け付けた関心領域の関心領域画像、または関心領域画像が含まれる放射線画像を動画像１２２から抽出し、関心領域情報１２４と対応付けて格納させた関心領域画像ファイルを生成する機能を有している。
【００６４】
次に、本実施の形態の放射線画像撮影システム１０（放射線画像処理装置１４）における、放射線画像処理について詳細に説明する。本実施の形態の放射線画像処理の一例のフローチャートを図４に示す。なお、以下では、具体的一例として、放射線画像が撮影されているリアルタイムで電子カセッテ２０から出力された動画像を読影する場合や、始めて動画像１２２を読影する場合等、関心領域画像が未抽出の動画像１２２が記憶部１７に記憶されている場合について説明する。なお、当該放射線画像処理は、ディスプレイ放射線画像処理装置１４のシステム制御部６０または、コンソール１６のＣＰＵ４０により放射線画像処理のプログラムが実行されることにより行われる。本実施の形態では、当該プログラムは、システム制御部６０内の記憶部（図示省略）やＲＯＭ４２等に予め記憶させておくが、外部システム（ＲＩＳ）やＣＤ−ＲＯＭ、及びＵＳＢ等からダウンロードするように構成してもよい。
【００６５】
図４に示した放射線画像処理は、読影者から放射線画像の読影（表示）が指示された場合に、実行される。
【００６６】
ステップＳ１００では、動画像の表示を指示されたのか否か判断する。静止画像の表示を指示された場合は、否定されてステップＳ１０２へ進む。ステップＳ１０２では、指示された静止画像の静止画像データフィルを取得し、次のステップＳ１０４では、当該静止画像データファイルを展開する。次のステップＳ１０６では、展開した画像データファイルに基づいて、静止画像をディスプレイ（ディスプレイ５０）に表示させる。当該処理により、読影者は表示された静止画像の読影を行うことができ、当該静止画像に基づいて、診断等を行うことができる。図示を省略した指示部等により、当該静止画像の表示の終了が読影者から指示されると、次のステップＳ１０８では、表示させていた静止画像の全領域、すなわち、静止画像全体を記憶部１７に記憶させるように制御した後、本処理を終了する。本実施の形態では静止画像を表示させた場合、静止画像の全領域を記憶部１７に記憶させているが、全領域ではなく、全領域よりも小さな所定の領域（関心領域を含む領域）であってもよい。静止画像の読影を行う場合、一般に、関心領域だけではなく、関心領域の周囲の領域や、全体を読影したい場合がある。また一般に、静止画像の読影の際には、動画像の読影よりも読影者の視野角が広くなる。そのため、静止画像については、動画像よりも大きな領域を記憶させておくことが好ましい。関心領域を含む所定の領域としては、撮影条件等に応じた領域としてもよいが、本実施の形態のように全領域とすることが好ましい。例えば、被験者３０が映り込んでいる領域や、予め読影者等により読影・診断等に必要として指定された領域としてもよい。
【００６７】
なお、放射線画像の撮影に応じてリアルタイムで放射線画像（静止画像）の読影を行う場合等ではなく、既に記憶部１７に記憶されている静止画像データを読影する場合は、記憶部１７に記憶されている静止画像データ上に上書きしてもよいし、ステップＳ１０８の処理を省略してもよい。
【００６８】
一方、動画像の表示を指示された場合は、肯定されてステップＳ１１０へ進む。ステップＳ１１０では、読影（表示）を指示された動画像の動画像データファイルを取得し、次のステップＳ１１２では、当該動画像データファイルを展開する。展開された動画像データファイルの一例を図５に示す。本実施の形態の動画像データファイルは、当該動画像データファイルに関する基本的情報が格納されたファイル情報部（図５、Ｆｉｌｅ  Ｉｎｆｏ参照）と、動画像放映（表示）時間等、動画像データに関する情報が格納されたヘッダ（図５、Ｈｅａｄｅｒ  Ｉｎｆｏ参照）と、動画像データそのものが格納された動画像データ部（図５、Ｉｍａｇｅ  Ｄａｔａ参照）と、を含んでいる。
【００６９】
次のステップＳ１１４では、展開した動画像データファイルのヘッダに格納された動画像データに関する情報に基づいて、その他情報１２６をディスプレイ（ディスプレイ５０）に表示させる（図６参照）。本実施の形態では、その他情報１２６とは、当該動画像を撮影した際の撮影メニューに関する情報（図６、ＭＥＮＵ  Ｉｎｆｏ参照）や、当該動画像を撮影した際の放射線の照射に関する情報（図６、Ｘ−Ｒａｙ  Ｉｎｆｏ参照）や、読影者等に関する情報（例えば、読影者のＩＤ等、図６、Ｕｓｅｒ  Ｉｎｆｏｒｍａｔｉｏｎ参照）等を含むが特に限定されず、その他の当該動画像の撮影・表示等に関する情報であってもよい。
【００７０】
次のステップＳ１１６では、進度表チャート作成・表示処理を行う。本実施の形態の進度表チャート１２０の作成、及びディスプレイ（ディスプレイ５０）への表示処理の一例のフローチャートを図７に示す。図７に示したステップＳ２００では、展開した動画像データファイルからヘッダを取得する。次のステップＳ２０２では、取得したヘッダから動画像の放映時間（表示時間）を読み出す。次のステップＳ２０４では、読み出した動画像放映時間に基づいて、進度表チャート１２０を作成し、進度表１３０を図６に示すように、ディスプレイ（ディスプレイ５０）の所定の領域（進度表１３０を表示させるために予め定められた所定の領域）に表示させる。次のステップＳ２１０では、進度表チャート１２０の進度表１３０に対して、動画像領域に表示させている動画像の進行位置を示すための進行位置表示１３２を図６に示すように表示させた後、進度表チャート作成・表示処理を終了する。なお、本実施の形態では、表示させている動画像の表示に応じて、進度表１３０に対して、進行位置表示１３２を移動させるように制御している。
【００７１】
このようにして進度表チャート作成・表示処理が終了した次のステップＳ１１８では、動画像データに基づいて動画像１２２をディスプレイ（ディスプレイ５０）の動画像表示領域に表示させるよう制御する。当該処理により、ディスプレイ（ディスプレイ５０）の動画像表示領域には、複数枚の放射線画像が連続して表示されることにより、動画像１２２が表示される。このようにして動画像１２２が表示されると、読影者は、表示されている動画像１２２から、より具体的には、動画像１２２を構成する複数枚の放射線画像から関心領域の指示を行う。
【００７２】
図６は、関心領域（関心領域画像）が読影者により指示された状態を示している。本実施の形態では、読影者が関心領域を指示する場合、読影者は、表示されている動画像１２２の進行を一旦停止させて、静止された放射線画像１２２Ａに対して指示を行うことができると共に、表示が進行する動画像１２２に対して指示を行うこともできる。なお、いずれを行うかは図示を省略した指示部等により、読影者が指示するようにすればよい。また、本実施の形態では、読影者が操作パネル５４であるディスプレイ５０上に直接タッチペン等を用いて関心領域を指示する。なお、読影者による関心領域の指示の仕方は、読影者がタッチペン等を用いて放射線画像１２２Ａ上に書き込んだ領域内（図６では、関心領域画像１４０で示した枠線内）としてもよい。また、読影者が関心領域画像１４０内の一部を指定すると、画像解析等により放射線画像１２２Ａから関心領域画像１４０を抽出するようにしてもよい。このように本実施の形態では、関心領域の指示方法は特に限定されず、一般的な方法を用いてよい。
【００７３】
次のステップＳ１２０では、上述のようにして読影者から関心領域の指示を受け付ける。なお、関心領域の指示と共に、読影者から関心領域情報１２４が入力された場合は、当該関心領域情報１２４を受け付ける。本実施の形態で関心領域情報１２４とは、関心領域の所見や診断等、動画像１２２を読影した読影者のメモ等が含まれる。関心領域情報１２４の入力は、タッチパネルである操作パネル５４上に直接読影者が入力してもよいし、キーボード等の操作パネル５４を用いて入力するようにしてもよい。
【００７４】
次のステップＳ１２２では、受け付けた関心領域の関心領域画像１４０を動画像１２２Ａ内から抽出する。
【００７５】
次のステップＳ１２４では、抽出した関心領域画像１４０が含まれる放射線画像を抽出する。本実施の形態では、動画像１２２は、複数枚の放射線画像より成るため、関心領域画像１４０は、読影者が関心領域の指示を行った放射線画像１２２Ａの他の放射線画像（例えば、放射線画像１２２Ａの前後に表示される放射線画像）にも関心領域画像１４０が含まれている場合がある。そのため、本実施の形態では、動画像１２２を成す複数枚の放射線画像のうちから、画像解析等により、抽出した関心領域画像１４０が含まれる放射線画像を抽出する。このような画像解析としては、各画素の画素値の差に基づく手法や正規化相互相関係数に基づく手法等、画像の類似性の解析を行うことができる画像解析方法であればよく、例えば公知のパターンマッチング、スペクトル解析、空間周波数、及びテクスチャ解析等であってもよく、特に限定されるものではない。
【００７６】
次のステップＳ１２６では、関心領域画像１４０のみを記憶させるか否か判断する。なお、本実施の形態では、関心領域画像１４０等をどのように記憶させるか否かは、図示を省略した指示部等により、読影者が指示するようしている。関心領域画像１４０のみを記憶させる場合は、肯定されてステップＳ１２８へ進み、関心領域画像１４０以外の画像を含まない関心領域画像ファイルを記憶部１７に記憶させた後、本処理を終了する。この場合、動画像１２２を成す複数枚の放射線画像のうち、関心領域画像１４０を含まない放射線画像は記憶部１７に記憶させない、すなわち廃棄するように制御している。また、関心領域画像１４０を含む放射線画像のうち、非関心画像領域（関心領域画像１４０以外の領域）は記憶部１７に記憶させない、すなわち廃棄するように制御している。なお、上記ステップＳ１２０で関心領域情報１２４を受け付けた場合は、関心領域画像に対応付けて関心領域情報１２４も記憶部１７に記憶させるように制御している。
【００７７】
一方、関心領域画像１４０以外も記憶させる場合は、否定されてステップＳ１３０へ進み、抽出した放射線画像（関心領域画像１４０が含まれる放射線画像）のみを記憶させるか否か判断する。抽出した放射線画像以外の画像を含まない関心領域画像ファイルを記憶させる場合は、肯定されてステップＳ１３６へ進み、抽出した放射線画像のみを記憶部１７に記憶させた後、本処理を終了する。この場合本実施の形態では、抽出した放射線画像（１枚の場合は静止画像、複数枚の場合は動画像として扱う）の画像データのヘッダに関心領域（関心領域画像１４０）に関する情報を追加している（図８参照）。
【００７８】
この場合、動画像１２２を成す複数枚の放射線画像のうち、抽出された放射線画像以外の画像、即ち関心領域画像１４０を含まない放射線画像は記憶部１７に記憶させない、すなわち廃棄するように制御している。なお、この場合においても、上記ステップＳ１２０で関心領域情報１２４を受け付けた場合は、関心領域画像に対応付けて関心領域情報１２４も記憶部１７に記憶させるように制御する。
【００７９】
一方、動画像１２２を成す複数枚の放射線画像全てを記憶させる場合等は、ステップＳ１３０で否定されてステップＳ１３２へ進む。ステップＳ１３２では、動画像１２２を成す複数枚の放射線画像のうち、抽出した放射線画像以外の放射線画像に対して、画像データ量が少なくなるように圧縮処理を施す。なお、本実施の形態では、圧縮処理を施しているが、画像データ量が小さくなるような処理であれば特に限定されず、例えば、解像度を低下させる処理を施すようにしてもよい。また、圧縮処理を行う場合は、可逆的な圧縮処理及び不可逆的な圧縮処理のいずれを行ってもよい。なお、抽出した放射線画像のうち、非関心画像領域（関心領域画像１４０以外の領域）に対しても圧縮処理を施すようにしてもよい。このように抽出した関心領域画像１４０（放射線画像）以外の画像も記憶させておくことにより、画像データの保存容量を小さくすることができる。
【００８０】
次のステップＳ１３４では、圧縮した放射線画像を記憶部１７に記憶するように制御した後、ステップＳ１３６へ進み、上述したように抽出した放射線画像以外の画像を含まない関心領域画像ファイルを記憶部１７に記憶させるよう制御した後、本処理を終了する。
【００８１】
次に、具体的一例として、上述のようにして、関心領域画像１４０が抽出されて、記憶部１７に記憶されている場合について説明する。この場合の放射線画像処理の一例のフローチャートを図９に示す。
【００８２】
図９に示した放射線画像処理は、読影者から放射線画像の読影（表示）が指示された場合に、実行される。なお、上述の放射線画像処理（図４参照）と略同様の処理についてはその旨を記し、ここでは詳細な説明を省略する。
【００８３】
ステップＳ３００は、動画像の表示を指示されたのか否か判断する。静止画像の表示を指示された場合は、否定されてステップＳ３０２へ進む。静止画像の表示を指示された場合のステップＳ３０２〜ステップＳ３０８の各処理は、上述の放射線画像処理において静止画像の表示を指示された場合のステップＳ１０２〜ステップＳ１０８の各処理にそれぞれ対応しているため説明を省略する。
【００８４】
一方、動画像の表示を指示された場合は、肯定されてステップＳ３１０へ進む。ステップＳ３１０では、指示された動画像に対応する関心領域画像ファイルを記憶部１７から取得する。次のステップＳ３１２では、関心領域画像ファイルをファイル展開し、次のステップＳ３１４では、上述の放射線画像処理のステップＳ１１４と略同様に、関心領域画像ファイルのヘッダに格納された情報に基づいて、その他情報１２６をディスプレイ（ディスプレイ２３）に表示させる。
【００８５】
次のステップ３１８では、関心領域画像ファイルの画像データに基づいて関心領域画像１４０をディスプレイ（ディスプレイ２３）の動画像表示領域に表示させるよう制御した後、本処理を終了する。
【００８６】
当該処理により、ディスプレイ（ディスプレイ２３）には、関心領域画像１４０が動画像として表示される。本実施の形態における関心領域画像１４０の表示の具体例を図１０及び図１１に示す。図１０には、関心領域画像１４０を含む放射線画像１２２Ａが記憶部１７に記憶されており、当該放射線画像１２２Ａを表示させる場合を示している。また、図１１には、関心領域画像１４０のみが記憶部１７に記憶されており、当該関心領域画像１４０のみを表示させる場合を示している。なお、図１１にように、関心領域画像１４０のみを表示させる場合は、関心領域画像１４０を拡大（例えば、動画像表示領域全体に表示されるように拡大）して、表示させるように制御してもよい。
【００８７】
また、関心領域情報１２４が関心領域画像１４０に対応付けて記憶されている場合は、図１０に示すように、関心領域情報１２４も表示させるようにすることが好ましい。
【００８８】
また、関心領域画像ファイルに基づいて関心領域画像１４０を表示させる場合も、図１１に示すように、関心領域画像ファイルのヘッダに格納されている情報に基づいて、進度表チャート１２０を生成し表示させるようにしてもよい。
【００８９】
以上、説明したように本実施の形態の放射線画像処理装置１４を備えた放射線画像撮影動画像の撮影により電子カセッテ２０から得られた複数枚の放射線画像を連続してコンソール１６のディスプレイ５０または放射線画像読影装置１８のディスプレイ２３に表示させるよう表示制御部１００が制御することにより動画像１２２の表示を行う。動画像１２２の表示中に動画像１２２（放射線画像１２２Ａ）に対して読影者が関心領域を指示する。関心領域受付部１０４で関心領域を受け付けると、受け付けた関心領域の関心領域画像１４０及び、当該関心領域画像１４０が含まれる放射線画像を動画像１２２として連続表示されていた複数の放射線画像のうちから抽出する。さらに、関心領域画像１４０の画像のみ、または関心領域画像１４０が含まれる放射線画像のみを関心領域画像ファイルとして記憶部１７に記憶させるよう制御する。この後、関心領域画像１４０を表示させるよう制御する場合は、関心領域画像ファイルに基づいて関心領域画像１４０をディスプレイ５０またはディスプレイ２３に表示させるよう制御する。
【００９０】
このように本実施の形態では、読影者が動画像１２２を読影した際に、読影者により、関心領域が指示された場合は、関心領域画像１４０の画像のみ、または関心領域画像１４０が含まれる放射線画像のみが関心領域画像ファイルとして記憶部１７に記憶される。
【００９１】
従って、動画像１２２全部を記憶部１７に記憶させる場合に比べて、記憶部１７に記憶されるデータ量を削減することができる。
【００９２】
一般に、一度読影者により動画像１２２を読影した後、再度当該動画像１２２を読影する場合は、関心領域（関心領域画像１４０）のみを読影したい場合が多く、その他の放射線画像の読影が不要な場合がある。特に、動画像の読影の場合、静止画像の読影に比べて読影者の視野角が狭く、大きな画像（放射線画像全領域）を要しない場合が多い。そのため、一度読影者により動画像１２２を読影した後は、本実施の形態のように、関心領域画像１４０の画像のみ、または関心領域画像１４０が含まれる放射線画像のみを記憶部１７に記憶させても問題が生じる可能性が低く、かつ、記憶部１７に記憶されるデータ量を削減することができるという効果が得られる。
【００９３】
また、本実施の形態では、関心領域画像１４０のみを記憶させる場合、関心領域画像１４０そのものを記憶部１７に記憶させるように制御しているが、関心領域画像１４０を含む所定の領域（放射線画像１２２Ａの全領域よりも小さい領域）を記憶させるように制御してもよい。
【００９４】
また、本実施の形態では関心領域画像１４０、及び関心領域画像１４０が含まれる放射線画像１２２Ａの抽出を、読影者が関心領域を指示した後、動画像１２２の読影中に行っているがこれに限らず、読影の終了により、診断が確定したものとみなして、関心領域画像１４０、及び関心領域画像１４０が含まれる放射線画像１２２Ａの抽出を行うようにしてもよい。
【００９５】
その他、上記本実施の形態で説明した放射線画像撮影システム１０、放射線画像処理装置１４、コンソール１６、及び放射線検出器２６等の構成、放射線画像処理等は一例であり、本発明の主旨を逸脱しない範囲内において状況に応じて変更可能であることは言うまでもない。
【００９６】
また、上記本実施の形態で説明した放射線は、特に限定されるものではなく、Ｘ線やγ線等を適用することができる。
【符号の説明】
【００９７】
１０  放射線画像撮影システム
１４  放射線画像処理装置
１６  コンソール
１７  記憶部
１８  放射線画像読影装置
２０  電子カセッテ
２３、５０  ディスプレイ
２４、５４  操作パネル
１００  表示制御部
１０４  関心領域受付部
１０６  関心領域情報受付部
１１０  記憶制御部
【図１】
2013075065.tif 000003
【図２】
2013075065.tif 000004
【図３】
2013075065.tif 000005
【図４】
2013075065.tif 000006
【図５】
2013075065.tif 000007
【図６】
2013075065.tif 000008
【図７】
2013075065.tif 000009
【図８】
2013075065.tif 000010
【図９】
2013075065.tif 000011
【図１０】
2013075065.tif 000012
【図１１】
2013075065.tif 000013